(57)【要約】【課題】  どのような木製ベッド等へも本当に利用者の必要とする「点」の場所へ手すりを簡便に配置でき、なおかつ利用者に安全・安心感を与えられるようにすることを目的とした手すり【解決手段】利用者の身体状況を確認して取り付け位置を決め、木製ベッド等のフレーム幅に合うように１８のアジャストバーを調整し、片方のフレーム下部に２２のフレーム固定調整金具と２３の固定ナットにより取り付け、反対側のもう片方のフレーム下部に２４のフレーム固定調整金具と２５の固定ナットにより取り付ける。なおかつ１３の床面支持支柱により高さを調整して１５の固定ナットで固定し、３０の手すり本体のガタつきをなくす。また３０の手すり本体が、３１の手すり部分を着脱して、手すりの向きを変えることができ、なおかつ３２のロック機構により手すりの長さを変更することができる手すりであることから、ベッドの形状・向きに関係なく、これ一本で、起き上がり・移動・体動（寝返り）・立ち上がり・歩き出しを補助することができる。【選択図】図７
2011031044.tif 000002
【特許請求の範囲】
【請求項１】
木製ベッド等のフレームを傷つけることなく、手すりを木製ベッド等のベッドサイドに、ベッドフレーム間の長さ・幅にかかわり無く着脱自在に装着できるアジャスト機構を有したフレームを持つ、木製ベッド等の手すり装置
【請求項２】
木製ベッド等のフレームの下部に、両サイドのフレームにそれぞれの厚み・長さ等に調整可能なアジャスト機構を有し、またそれを下部から支える支柱部を有する請求項１記載の木製ベッド等の手すり装置
【請求項３】
気球形のＲ曲線を描く３次元曲げ加工による手すりで、それ一つだけで起き上がり・体動（寝返り）・立ち上がり・移乗・歩き出しを補助することができる手すり部分を有した請求項１，２記載の木製ベッド等の手すり装置
【請求項４】
手すり部分の表面をウレタン塗装をする事により、樹脂皮膜等の手すりでは得られなかった、濡れたり湿った状態で持っても適度な摩擦力を発揮し、力の入り方を補助することを可能にする請求項３記載の木製ベッド等の手すり装置
【請求項５】
Ｌ字型の手すりで、それ一つだけで起き上がり・体動（寝返り）・立ち上がり・移乗・歩き出しを補助することができる手すり部分を有した請求項１，２記載の木製ベッド等の手すり装置
【請求項６】
Ｌ字の手すり部分を着脱して、手すりの向きを変えることができ、なおかつ手すりの長さを変更することができる手すりで、それ一つだけで起き上がり・体動（寝返り）・立ち上がり・移乗・歩き出しを補助することができる手すり部分を有した請求項１，２、５記載の木製ベッド等の手すり装置
【発明の詳細な説明】
【技術分野】
【０００１】本発明は、高齢者や身体障害者等が、居室等でベッド上での起き上がり・移動、立ち上がる際の支えや、歩きだす際の補助となる為に、ベッド等に装着される手すり装置に関するものである。
【背景技術】
【０００２】従来の木製ベッドサイド用の手すりとしては、手すり部分が上部及び下部に２本の水平な状態で組まれている長方形の形状のものがある。（例えば、特許文献１、特許文献２、特許文献３参照）。またベッドにビス等で穴をあけて固定するもの（例えば特許文献２、特許文献３参照）、マットレスの下にベース部を敷きこんで、歩きだし用の支柱をベッドの側方前部に立てているものもある（例えば特許文献１参照）。さらには、取り付けられるベッドの大きさに制限や付帯工事が必要なものがある（例えば、非特許文献１、特許文献２参照）。
【先行技術文献】
【特許文献】
【０００３】
【特許文献１】特開２００３−２３５９０９号
【特許文献２】特開２００２−１５３５１９号
【特許文献３】特開平１１−２９９８４０号
【非特許文献】
【０００４】
【非特許文献１】株式会社イーストアイ  セーフティベッドアーム  ｈｔｔｐ：／／ｗｗｗ．ｅａｓｔｉ．ｃｏ．ｊｐ／ｈｐｄａｔａ／ｇｏｏｄｓ／ｂａｒ／ｍｂ．ｈｔｍ
【発明の概要】
【発明が解決しようとする課題】
【０００５】従来のベッド用手すりは、特殊寝台と呼ばれる在宅介護用・病院施設用に取り付けるものであって、ベッド自体に一定の取り付け部があり、そのベッド専用の手すりしか用いることができなかった。【０００６】近年、介護保険法の認定要件が改正され、介護度が軽い認定の高齢者は特殊寝台と呼ばれるベッドをレンタルする事が出来なくなり、実費でベッドをレンタル・購入したり、危険や不便であるにも関わらず既存の木製ベッド等を使用している。身体障害者の方についても同様である。また、思い入れのある現在使用しているベッドを使いたいという希望を持つ高齢者も多くいる。そのため、メーカー、機種、サイズ、形状等に関わらず、多くのベッドに取り付けられる手すりが求めれている。【０００７】が、現在市場にあるそうした商品の多くは、取り付けられるベッドの形状・サイズに制限のあるものや、取り付ける強度が不足しているためガタつきがあったり、手すり前方に支柱がある為つまずいて転倒し、ケガの原因になっているものが多い。また、手すりの形状が長方形やＵ字型のため、利用者の身体状況によっては、持ちにくかったり力が入りにくかったりしており、利用者にとって本当の支えとなっていない。【０００８】そこで、本発明は、木製ベッド等での本当に利用者の必要とする「点」の場所へ手すりを配置でき、利用者に安心感を与えるようにすることを目的とした装置である。
【課題を解決するための手段】
【０００９】本発明は、ベッド本体を傷つけることなくどのような形状のベッド等のフレームにも取り付けられるよう、フレーム下部に長さ・幅等の調整機構を備えたアジャストフレームを備えた。【００１０】また、ガタつき・ゆれ等をなくすために、木製ベッド等の両サイドのフレームの厚さ・大きさ等への調整機構を備えたアジャストパッドと、取り付け固定金具によりフレームを挟み込むようにした。さらには立ち上がりの際に足を引きこむことができなお且つ、つまずきの原因とならないよう配慮して、手すり側の固定金具の下部に床面との高さ支持調整機構を有した支柱を設けた。【００１１】さらに、体格等により各個人によって必要な寸法が違う手すりを持って行う行為（ベッド上での起き上がり、体動（寝返り）補助、立ち上がり、移動、歩きだし補助等）を一本で可能にするために、手すり全体の形状をＬ字型にした。加えて、Ｌ字に曲がった部分を着脱式にして、なお且つ手すり本体との長さ調節もできるように調節機構を備えた。また、手すり本体内部にＨ形状の縦横の手すり部分を備えた。これらの形状により、起き上がる時には手すり本体のＨ外周やＨ状の持ちやすい部分を持って、肘を支点とし起き上がることができる。また、体動（寝返り）の際には、外周や内部の力の入りやすい高さの水平な手すりを持って力を加えることができる。さらに立ち上がり・移動・歩き出しの際に手すりを持った時に、ベッドの外側に突き出たＬ字形状のため、足引きをした状態から人間工学に基づいたＳ字ラインの動きを取りやすくして、立ち上がりが安全かつ楽に行うことができるようにした。【００１２】Ｌ字型の着脱部分のロック機構にＬ字状のオリジナルの特殊ナットを使用し、受け手の手すり本体の先に、ある一定角度の斜めカットを施すことにより、着脱部分のガタつきを減らすことができるようになり、なお且つこの手すりを受けるフレーム本体のアジャスト部分への力のかかりを分散させることになり、ガタつきや緩みを減らすことができる。
【発明の効果】
【００１３】本発明により、高齢者・身障者の方が、長年使いなれた木製ベッド等をそのまま使用することができ、経験則からくる身体の動きを基に手すりを配置して行動することができるので、これまでの生活パターンの変化による錯誤等を減らし。転倒・転落等による在宅介護の危険を減らすことが出来る。また、本人が安心してまた楽に動いて生活することができるので、身体の残存能力の維持、生活の質の向上につなげることができる。【００１４】加えて、利用者の居室空間のレイアウト変更をすることなく、これまで通りの生活ができ、また家具等に傷をつけたりしたくないという思い入れに基づく要望にも応えることができるので、生活環境の変化といった利用者の新たな精神的な負担をも和らげることが可能になる。【００１５】さらには、利用者の身体状況・家族事情によっては、介護保険制度に基づく特殊寝台をレンタルしなくても、現在使用している木製ベッド等を使用して自立した生活を提案できるので、介護保険の単位数を抑えることができる。それゆえ、介護保険を用いたサービスのうち、本当にその個人としての利用者に必要なサービスを、予算金額（単位）内で組み合わせて提供することができるので、保険料を抑制することもでき、また利用者の生活の質の向上につなげることが可能になる。
【図面の簡単な説明】
【００１６】
【図１】本発明の手すり台の第１実施例の正面図
【図２】本発明の手すり台の第１実施例の側面図
【図３】本発明の手すり台の第１実施例の図２Ｂ−Ｂ矢視図
【図４】本発明の手すり台の第１実施例の図１Ａ−Ａ矢視図
【図５】本発明の手すり台の第１実施例の図２Ｃ−Ｃ矢視図
【図６】本発明の手すり台の第２実施例の正面図
【図７】本発明の手すり台の第２実施例の側面図
【図８】本発明の手すり台の第２実施例の図７Ｄ−Ｄ矢視図
【発明を実施するための形態】
【００１７】以下、本発明の実施の形態を図１〜図５を参照しながら説明する。
【００１８】まずはじめに、利用者の身体状況に応じて、手すり装置をベッド等のフレームの左右および取り付け位置を決定する。そして図２で示す１８のアジャストバーを１９・２０の調整ノブによりベッド等のフレームの長さに合わせて調整し、その後両サイドのフレームの下部に、２１・２２の固定パッドを、１６・１７のアジャストパッド及び２２・２３のナットにより、フレームの厚さ・高さを自在に調整してから締め付けて手すり装置をベッド等に固定する。
【００１９】加えて、図１で示す１の手すり本体側下部の支柱により床面との高さを調節して固定し、ガタつき等防止のための強度を得る。
【００２０】次に、図２で示す５〜８の４本のボルトを１４・１５の高さ調節孔に通して、手すり本体の高さを利用者の身体状況に合わせて調節し、固定する。
【００２１】そうすることにより、利用者が起き上がる時には図１の９の手すり本体部の左下の１２・１３の手すりの間の斜めになっている部分を持って、マット上の肘を支点にして力を加えることができるので、上体を楽に引き起こすことができる。また体動（寝返り）の際には、１２の手すり部分を持って行うことができる。さらには立ち上がるためにベッド上で移動したり、立ち上がる時には、９の手すり本体の上部の弧を描いている部分を持って行うが、手すり自体がベッドの外側に弧を描いて曲がっているため、安定して体重を手すりに掛けることができるので、手が変形性関節症の方や拘縮している方でも、痛みを和らげてあげることができ、安心して立ち上がり、歩き出しを促すことができる。また、足をベッドの下に引きこむことができるベース形状なので、足を引くと自然に前傾姿勢になり安定して体重を手すりに掛けることができるので、立ち上がりの際の腰・膝等の痛みを和らげてあげることができ、またガタつきがないので安心して立ち上がりや歩き出しを促すことができる。
【００２２】こうして利用者の身体状況に合わせて、本当に必要な「点」の位置での木製ベッド等のサイドに手すり設置が可能となる。
【産業上の利用可能性】
【００２３】本発明により、現在の居住スペースや、長年用いてきたベッド等の家具、生活習慣など長年培ってきたリズムを崩すことなく安全に生活することが可能になる。このことは、ＡＤＬを保つ上でとても大切であり、介護の現場だけでなく一般の住宅環境の中でも待ち望まれていることである。【００２４】加えて、本発明は設置工事が簡便であり、また、フレーム本体と手すりの１セットだけで、ベッドの左右への取り付け・高さや形状の異なる木製ベッドのフレームに合わせることができるため、設備費用を抑えることができるので、購入だけでなく、介護保険におけるレンタルという観点からも利用でき、非常に効果のあるものである。
【符号の説明】
【００２５】１・・手すり本体２・・横手すり３・・横手すり４・・ベッド本体フレーム５・・手すり固定用ネジ６・・手すり固定用ネジ７・・手すり固定用ネジ８・・手すり固定用ネジ９・・フレーム取付金具１０・・手すり固定部１１・・手すり固定部１２・・床面支持支柱１３・・床面支持支柱１４・・固定ナット１５・・固定ナット１６・・高さ調節ねじ孔１７・・高さ調節ねじ孔１８・・フレーム取り付け用アジャストバー１９・・長さ調整固定用ノブ２０・・長さ調整固定用ノブ２１・・フレーム取付金具２２・・フレーム固定調整金具２３・・固定ナット２４・・フレーム固定調整金具２５・・固定ナット２６・・ベッド本体フレーム２７・・マットレス２８・・フレーム固定調整金具２９・・固定ナット３０・・手すり本体３１・・着脱式介助バー部３２・・着脱部接合金具３３・・Ｌ字形特殊ナット３４・・樹脂リング
【図１】
2011031044.tif 000003
【図２】
2011031044.tif 000004
【図３】
2011031044.tif 000005
【図４】
2011031044.tif 000006
【図５】
2011031044.tif 000007
【図６】
2011031044.tif 000008
【図７】
2011031044.tif 000009
【図８】
2011031044.tif 000010